(57)【要約】【課題】  表示パネルを外側に向けて折り畳んだ状態に遷移可能であって、端末を持ち替える動作を要することなく、画面表示及びステレオ音声出力を適切に行うことができる携帯端末を提供する。【解決手段】  表示パネル５を有し、ステレオ音声出力用の３つのスピーカＡ１〜Ａ３が設けられた第１の筐体２と、操作パネル６を有する第２の筐体３と、第１の筐体２及び第２の筐体３を折り畳み可能に連結する連結部４とからなり、第１の筐体２及び第２の筐体３を展開させた第１の端末状態と、表示パネル５を外側に向けて折り畳んだ第２の端末状態とを遷移可能な携帯電話機１であって、端末がいずれの端末状態にあるのかを検出する状態検出制御部２８と、端末状態の検出結果に基づいて各スピーカＡ１〜Ａ３を駆動するスピーカ駆動制御部２４により構成される。【選択図】  図５
2005252539.tif 000002
【特許請求の範囲】
【請求項１】
表示パネルを有し、ステレオ音声出力用の３つのスピーカが設けられた第１の筐体と、操作パネルを有する第２の筐体と、上記第１の筐体及び上記第２の筐体を折り畳み可能に連結する連結部とからなり、
第１の筐体及び第２の筐体を展開させた第１の端末状態と、表示パネルを外側に向けて折り畳んだ第２の端末状態とを遷移可能な携帯端末において、
携帯端末がいずれの上記端末状態にあるのかを検出する状態検出手段と、
上記端末状態の検出結果に基づいて上記各スピーカを駆動するスピーカ駆動手段とを備えたことを特徴とする携帯端末。
【請求項２】
ユーザによる操作入力に基づいて、上記表示パネルにおける画面表示の向きを切り替える表示方向切り替え手段を備え、
上記スピーカ駆動手段は、画面表示の向きに基づいてスピーカを駆動することを特徴とする請求項１に記載の携帯端末。
【請求項３】
上記表示パネルにおける画面表示の向きを切り替えて画像生成を行う制御プログラムを実行するプログラム実行手段を備え、
上記スピーカ駆動手段は、上記制御プログラムにより切り替えられる画面表示の向きに基づいてスピーカを駆動することを特徴とする請求項１に記載の携帯端末。
【請求項４】
上記第２の筐体は、上記連結部と反対側の端部に設けられる送話用のマイクを有し、
上記各スピーカは、第１の筐体において上記連結部と反対側の端部と、当該端部に対し表示パネルを挟んで連結部側の端部とにそれぞれ配置され、ともに受話用のスピーカに兼用されることを特徴とする請求項１に記載の携帯端末。
【請求項５】
上記第２の端末状態において着信があった際に、当該端末状態を保持したままオフフック処理を実行させる入力キーを備え、
上記連結部側の端部に配置されるスピーカは、上記端末状態を保持したまま行われる通話に用いられることを特徴とする請求項４に記載の携帯端末。
【請求項６】
上記スピーカ駆動手段は、通話時における出力レベルをステレオ音声出力時よりも低くしてスピーカを駆動することを特徴とする請求項４に記載の携帯端末。
【請求項７】
上記連結部は、第２の筐体に対して第１の筐体を直交する２つの回転軸まわりに回転可能に連結することを特徴とする請求項１に記載の携帯端末。
【請求項８】
上記スピーカ駆動手段は、第１の端末状態及び第２の端末状態で左右を切り替えてスピーカを駆動することを特徴とする請求項１に記載の携帯端末。
【請求項９】
上記スピーカ駆動手段は、上記操作パネルに向かってステレオ音声の左右が各端末状態で同一となるように左右の切り替えを行うことを特徴とする請求項８に記載の携帯情報端末。
【請求項１０】
上記端末状態の検出結果に基づいて、上記表示パネルにおける画面表示の向きを切り替える表示方向制御手段を備えたことを特徴とする請求項１に記載の携帯情報端末。
【請求項１１】
上記表示方向制御手段は、上記操作パネルに向かって画面表示の向きが第１の端末状態及び第２の端末状態で同一となるように向きの切り替えを行うことを特徴とする請求項１０に記載の携帯情報端末。
【発明の詳細な説明】
【技術分野】
【０００１】
本発明は、携帯端末に係り、さらに詳しくは、ステレオ音声出力用の３つのスピーカが設けられた折り畳み可能な携帯電話機などの携帯端末の改良に関する。
【背景技術】
【０００２】
近年、ＴＶ（テレビジョン）放送を受信して画像を表示する携帯電話機が製品化され話題となっている。この様な携帯電話機では、ＴＶ番組などの画像表示に合わせてステレオで音声出力が行えれば、映像とともにステレオサウンドが楽しめるので便利である。ステレオ音声出力が可能な従来の携帯端末については、例えば、特許文献１及び２に記載のものがある。これらの文献に記載の携帯端末は、表示画面が縦長状態となるか横長状態となるかに応じて、画面表示の向きや複数のスピーカに対してステレオ音声における左右のチャンネルを切り替える制御を行っている。
【特許文献１】特開２００３−７８６０１号公報
【特許文献２】特開２００３−２４４７８６号公報
【発明の開示】
【発明が解決しようとする課題】
【０００３】
上述した様な従来の携帯端末では、表示パネルを外側に向けて折り畳むことができる携帯端末の場合、操作パネル及び表示パネルを手前に向けて展開させた状態から、表示パネルを外側に向けて折り畳んだ状態（ビューワスタイル状態という）に遷移させると、画面表示が逆さま（倒立状態）になってしまい、ステレオ音声が正しく出力されないという問題があった。すなわち、展開状態及びビューワスタイル状態は、表示パネルの向きが互いに１８０°異なるので、表示画面が縦長状態であるか横長状態であるかの識別では判別することができない。このため、画面表示の向きの切り替えや各スピーカに対する左右チャンネルの切り替えを正しく行うことができず、展開状態からビューワスタイル状態に遷移させるごとに携帯端末を持ち替えなければならないので、不便であった。
【０００４】
本発明は、上記事情に鑑みてなされたものであり、表示パネルを外側に向けて折り畳んだ状態に遷移可能な携帯端末であって、携帯端末を持ち替える動作を要することなく、画面表示及びステレオ音声出力を適切に行うことができる携帯端末を提供することを目的としている。特に、展開状態からビューワスタイル状態に遷移させても、各スピーカに対する左右チャンネルの切り替えを正しく行うことができる携帯端末を提供することを目的としている。
【０００５】
また、本発明の他の目的は、画面表示及びステレオ音声出力を適切に行うことができるとともに、着信時における操作性を向上させた携帯端末を提供することにある。特に、スピーカ数の増加を伴うことなく、ビューワスタイル状態において着信があった場合であっても、その状態を保持したまま通話を行うことができる携帯端末を提供することにある。
【課題を解決するための手段】
【０００６】
本発明による携帯端末は、表示パネルを有し、ステレオ音声出力用の３つのスピーカが設けられた第１の筐体と、操作パネルを有する第２の筐体と、上記第１の筐体及び上記第２の筐体を折り畳み可能に連結する連結部とからなり、第１の筐体及び第２の筐体を展開させた第１の端末状態と、表示パネルを外側に向けて折り畳んだ第２の端末状態とを遷移可能な携帯端末であって、携帯端末がいずれの上記端末状態にあるのかを検出する状態検出手段と、上記端末状態の検出結果に基づいて上記各スピーカを駆動するスピーカ駆動手段とを備えて構成される。
【０００７】
この様な構成によれば、携帯端末が第１及び第２の端末状態のいずれの端末状態にあるのかの検出結果に基づいて各スピーカの駆動が行われるので、端末状態ごとにステレオ音声出力を適切に行うことができる。特に、展開状態から表示パネルを外側に向けて折り畳んだ状態に遷移させても、各スピーカに対する左右のチャンネルの切り替えを正しく行うことができるので、携帯端末を持ち替える動作が不要となり利便性を向上させることができる。
【０００８】
本発明による携帯端末は、上記構成に加え、上記第２の筐体が、上記連結部と反対側の端部に設けられる送話用のマイクを有し、上記各スピーカが、第１の筐体において上記連結部と反対側の端部と、当該端部に対し表示パネルを挟んで連結部側の端部とにそれぞれ配置され、ともに受話用のスピーカに兼用されるように構成される。
【０００９】
この様な構成によれば、各スピーカが受話用に兼用されるので、連結部と反対側の端部に配置されるスピーカを第１の端末状態において受話用に用いることができるとともに、連結部側の端部に配置されるスピーカを第２の端末状態において受話用に用いることができる。つまり、展開状態及び表示パネルを外側に向けて折り畳んだ状態のいずれの端末状態であっても、マイクから遠い位置となるスピーカを用いて受話を行うことができるので、着信時における操作性を向上させることができる。特に、第２の端末状態において着信があった場合であっても、当該端末状態を保持したまま通話を行うことができる。また、スピーカ数の増加を伴うことなく、端末状態に応じてステレオ音声の出力や通話を行うことができる。
【００１０】
また、本発明による携帯端末は、上記構成に加え、上記端末状態の検出結果に基づいて、上記表示パネルにおける画面表示の向きを切り替える表示方向制御手段を備えて構成される。この様な構成によれば、携帯端末が第１及び第２の端末状態のいずれの端末状態にあるのかの検出結果に基づいて画面表示の向きが切り替えられるので、携帯端末を持ち替える動作を要することなく、端末状態ごとに画面表示を適切に行うことができる。
【発明の効果】
【００１１】
本発明による携帯端末によれば、端末状態ごとに画面表示及びステレオ音声出力を適切に行うことができる。特に、展開状態から表示パネルを外側に向けて折り畳んだ状態に遷移させても、各スピーカに対する左右のチャンネルの切り替えを正しく行うことができるので、携帯端末を持ち替える動作が不要となり利便性を向上させることができる。
【００１２】
また、展開状態及び表示パネルを外側に向けて折り畳んだ状態のいずれの端末状態であっても、マイクから遠い位置となるスピーカを用いて受話を行うことができるので、端末状態に応じて画面表示、ステレオ音声出力及び通話を適切に行うことができる。特に、スピーカ数の増加を伴うことなく、第２の端末状態において着信があった場合であっても、当該端末状態を保持したまま通話を行うことができるので、着信時における操作性を向上させることができる。
【発明を実施するための最良の形態】
【００１３】
実施の形態１．
図１（ａ）及び（ｂ）は、本発明の実施の形態１による携帯端末の概略構成の一例を示した平面図であり、折り畳み可能な携帯電話機１が示されている。図１（ａ）には、展開状態における操作面側が示され、図１（ｂ）には、裏面側が示されている。本実施の形態による携帯電話機１は、携帯可能な小型の電子機器であり、展開状態と、表示画面を外側に向けて折り畳んだ状態とでＴＶ番組などの画像表示に合わせてステレオ音声を出力する制御を行っている。
【００１４】
この携帯電話機１は、表示パネル５が設けられた筐体（第１の筐体）２と、操作パネル６が設けられた筐体（第２の筐体）３と、これらの筐体２及び３を折り畳み可能に連結する連結部４とからなる。
【００１５】
表示パネル５は、矩形の表示画面からなり、例えば、縦長の液晶ディスプレイが用いられる。ここでは、表示画面の長手方向を表示パネル５の縦方向とし、筐体２及び筐体３を展開し表示パネル５及び操作パネル６をともに手前に向けた状態では、操作パネル６の上下方向と一致するものとする。また、この縦方向（上下方向）に垂直な方向を表示パネル５及び操作パネル６の左右方向とする。筐体２には、ステレオ音声出力用の３つのスピーカＡ１〜Ａ３が設けられている。各スピーカＡ１〜Ａ３は、筐体２において連結部４と反対側の端部と、この端部に対し表示パネル５を挟んで連結部４側の端部とにそれぞれ配置される。
【００１６】
ここでは、連結部４と反対側の端部に１つのスピーカを配置し、このスピーカを第１のスピーカＡ１とする。また、連結部４側の端部には他の２つのスピーカを左右に配置し、このうち、表示パネル５に向かって左側のスピーカを第２のスピーカＡ２、右側のスピーカを第３のスピーカＡ３とする。
【００１７】
筐体２において連結部４と反対側の端部には、端末状態検出用のマグネット９が埋設されている。このマグネット９は、表示パネル５に向かって第１のスピーカＡ１の左側に配置される。
【００１８】
操作パネル６は、ユーザによる操作入力に基づいて各種機能を実行させるための複数のキーからなる。例えば、画面表示の向きを切り替えるためのキーや、発信時における番号入力及びメール送信時における文字入力に用いられるテンキー、発信キー（オフフックキー）、終話キー（オンフックキー）、方向キーが設けられる。
【００１９】
筐体３には、端末状態検出用の２つのホール素子１０及び１１と、送話用のマイク（マイクロフォン）１２と、無線通信用のアンテナ１３とが設けられている。ホール素子１０、１１及びマイク１２は、連結部４と反対側の端部に配置される。ホール素子１０及び１１は、ホール効果を利用する磁気センサーであり、磁界の変化に基づいて電流が流れる（オン状態となる）。
【００２０】
ここでは、操作パネル６に向かって各ホール素子１０及び１１を左右に配置し、このうち、マイク１２の左側のホール素子を第１のホール素子１０、右側のホール素子を第２のホール素子１１とする。各ホール素子１０及び１１は、筐体３内に埋設されている。アンテナ１３は、筐体３における連結部４側の側面に設けられている。
【００２１】
連結部４は、筐体３に対して筐体２を直交する２つの回転軸７及び８まわりに回転可能に連結している。すなわち、表示パネル５を操作パネル６側に向けて回転可能にする回転軸７と、表示パネル５の長手方向に平行な回転軸８とにより筐体２及び３が連結される。この様な連結部４を用いることにより、表示パネル５を内側に向けて折り畳んだ状態（収納状態）と、筐体２及び３を展開させた状態（第１の端末状態）と、表示パネル５を外側に向けて折り畳んだ状態（第２の端末状態）とを遷移させることができる。
【００２２】
図２（ａ）、（ｂ）、図３、図４（ａ）及び（ｂ）は、図１の携帯電話機における状態遷移の一例を示した外観斜視図である。図２（ａ）には、表示パネル５及び操作パネル６をともに内側に向けて筐体２及び３を折り畳んだ収納状態が示され、図２（ｂ）には、表示パネル５及び操作パネル６を同一方向に向けて筐体２及び３を展開させた第１の端末状態が示されている。
【００２３】
収納状態は、誤操作を防止することができるとともに、表示パネル５を保護することができるので、持ち運びに適している。収納状態では、液晶ディスプレイ及びスピーカＡ１〜Ａ３の駆動をオフとする制御が行われる。この様な収納状態は、第１のホール素子１０がオン状態となることによって検出される。すなわち、収納時に、マグネット９が第１のホール素子１０に接近することにより、第１のホール素子１０内の磁界が変化する。この磁界の変化に基づいて第１のホール素子１０がオン状態となり、収納状態となったことが検出される。
【００２４】
第１の端末状態は、表示パネル５及び操作パネル６が同一方向に向いているので、操作入力を行うのに適している。すなわち、ユーザは、操作パネル６上のキーを操作しながら表示パネル５上の画面表示を見ることができる。
【００２５】
第１の端末状態では、スピーカＡ２及びＡ３、もしくは、スピーカＡ１及びＡ３を用いてステレオ音声の出力が行われる。収納状態から第１の端末状態への遷移は、第１のホール素子１０がオン状態からオフ状態へ変化することにより検出される。すなわち、展開時に、マグネット９が第１のホール素子１０から遠ざかることにより、第１のホール素子１０内の磁界が変化する。この磁界の変化に基づいて第１のホール素子１０がオフ状態となり、展開状態となったことが検出される。
【００２６】
図３には、筐体３に対し表示パネル５の長手方向に平行な回転軸８のまわりに筐体２を回転させている様子が示されている。筐体２は、筐体３に対して回転軸８まわりに１８０°以上回転させることができる。つまり、筐体２を回転させることにより、筐体３に対して筐体２の前後を反転させることができる。
【００２７】
図４（ａ）には、筐体３に対し筐体２の前後が反転した状態が示され、図４（ｂ）には、筐体２の裏面を操作パネル６に対向させて折り畳むことにより、表示パネル５が外側を向いている第２の端末状態が示されている。
【００２８】
第２の端末状態では、スピーカＡ２及びＡ３、もしくは、スピーカＡ１及びＡ３を用いてステレオ音声の出力が行われる。この様な第１の端末状態は、第２のホール素子１１がオン状態となることによって検出される。すなわち、折り畳み時に、マグネット９が第２のホール素子１１に接近することにより、第２のホール素子１１内の磁界が変化する。この磁界の変化に基づいて第２のホール素子１１がオン状態となり、第２の端末状態となったことが検出される。ホール素子１０及び１１を用いることにより、非接触方式で端末状態を検出することができるので、接触方式であるものに比べ、耐久性に優れている。
【００２９】
なお、ホール素子１０及び１１に代えて、ＭＲ（Magneto Resistive）素子を端末状態の検出に用いても良い。ＭＲ素子は、磁気抵抗効果を利用する磁気センサーであり、ホール素子１０及び１１の場合と同様、非接触方式で端末状態を検出することができる。
【００３０】
図５は、図１の携帯電話機内の一構成例を示したブロック図である。この携帯電話機１は、アンテナ１３、スピーカＡ１〜Ａ３、マイク１２、ホール素子１０及び１１、無線部２１、通信制御部２２、主制御部２３、スピーカ駆動制御部２４、送話制御部２５、表示制御部２６、操作入力部２７及び状態検出制御部２８により構成される。
【００３１】
無線部２１は、アンテナ１３を介して基地局との間でやり取りされる通信データの送受信処理を行っている。この無線部２１では、ステレオ音声データを含むＴＶ放送を受信することができる。通信制御部２２は、各種通信の制御を行っている。例えば、ＴＶ放送の受信制御や、ウエブサイトにおけるアプリケーションプログラムをウエブサーバーからダウンロードするための送受信制御、発信時における発呼制御、通話制御、着信時における着呼制御、電子メールの送受信制御が行われる。
【００３２】
操作入力部２７は、操作パネル６におけるキー操作に基づいて入力処理を行っている。送話制御部２５は、通話時にマイク１２から入力される音声信号の入力制御を行っている。
【００３３】
状態検出制御部２８は、携帯電話機１がいずれの端末状態にあるのかの検出を行う状態検出手段である。すなわち、ホール素子１０及び１１のオンオフに基づいて、筐体２及び３が収納状態であるか、第１の端末状態であるか、或いは、第２の端末状態のいずれの状態にあるのかが判別される。これにより、端末状態が自動的に検出されるので、ステレオ音声出力や画像表示の切り替えを自動的に行わせることができる。
【００３４】
表示制御部２６は、表示パネル５における画面表示の向きを切り替える制御を行っている。この画面表示における向きの切り替えは、状態検出制御部２８による端末状態の検出結果と、ユーザによる操作入力とに基づいて行われる。例えば、操作パネル６に向かって画面表示の向きが第１の端末状態及び第２の端末状態で同一となるように向きの切り替え制御（表示方向制御）が行われる。すなわち、展開状態と、表示パネル５を外側に向けて折り畳んだ状態とのいずれにおいても、画面表示が正立状態となるように自動的に切り替えられる。通常、ユーザは、操作パネル６を有する筐体３を持って端末操作を行う。従って、操作パネル６に対する画面表示の向きを各端末状態で同一となるようにすることにより、ユーザは、端末状態を遷移させた際に、端末を持ち替えることなく、表示画面の閲覧を行うことができる。
【００３５】
また、第１の端末状態又は第２の端末状態において、画面表示の向きを操作入力に基づいて所定の向きに切り替える制御（表示方向切り替え）が行われる。ここでは、ユーザの操作入力により画面表示を９０°回転させる切り替えが行われるものとする。これにより、ユーザは、必要に応じて画面表示を所望の向きに切り替えることができる。すなわち、表示パネル５の縦方向に画面表示を正立させる向きと、この縦方向に垂直な方向（横方向）に画面表示を正立させる向きとを自在に切り替えることができる。
【００３６】
スピーカ駆動制御部２４は、ステレオ音声出力時において各スピーカＡ１〜Ａ３を駆動する制御を行っている。このスピーカＡ１〜Ａ３の駆動は、状態検出制御部２８による端末状態の検出結果と、画面表示の向きとに基づいて行われ、ステレオ音声における左右のチャンネルが切り替えられる。
【００３７】
例えば、第１の端末状態及び第２の端末状態で左右のチャンネルを切り替えてスピーカＡ１〜Ａ３を駆動する制御が行われる。この切り替え制御は、操作パネル６に向かってステレオ音声の左右が各端末状態で同一となるように行われる。すなわち、展開状態と、表示パネル５を外側に向けて折り畳んだ状態とのいずれにおいても、操作パネル６に対し左右が正しくなるように切り替えられる。これにより、ユーザは、端末状態を遷移させた際に、端末を持ち替えることなく、表示画面及びステレオ音声を適切に視聴することができる。
【００３８】
また、第１の端末状態又は第２の端末状態において、ユーザの操作入力により切り替えられる画面表示の向きに応じて左右のチャンネルを切り替えてスピーカＡ１〜Ａ３を駆動する制御が行われる。すなわち、展開状態、又は、表示パネル５を外側に向けて折り畳んだ状態において、画面表示の向きを９０°回転させる切り替えが行われた場合、この向きの切り替えに合わせて、画面表示の向きに対し左右が正しくなるように左右のチャンネルの切り替えが行われる。これにより、ユーザは、必要に応じて画面表示を所望の向きに切り替えることができるとともに、画面表示の向きに応じたステレオ音声出力を得ることができる。
【００３９】
図６（ａ）及び（ｂ）は、図１の携帯電話機における動作状態の一例を示した図であり、図６（ａ）には、展開状態において画面表示が表示パネル５の縦方向に正立する場合のステレオ音声出力の様子が示され、図６（ｂ）には、画面表示が表示パネル５の横方向に正立する場合のステレオ音声出力の様子が示されている。
【００４０】
展開状態において、画面表示を縦方向、すなわち、表示パネル５における表示画面の長手方向に正立させた場合、画面表示の向きが操作パネル６の向きと同一となるので、表示画面の閲覧中であっても操作入力が行い易いという利点がある。この場合、第２のスピーカＡ２及び第３のスピーカＡ３を用いてステレオ音声の出力が行われる。すなわち、表示画面に向かって左側となる第２のスピーカＡ２を左チャンネルに割り当て、右側となる第３のスピーカＡ３を右チャンネルに割り振る制御が行われる。これにより、ユーザは、ＴＶ放送受信時などにおいて、映像とともにステレオサウンドを楽しむことができる。
【００４１】
一方、展開状態において、画面表示を横方向、すなわち、表示画面の長手方向に垂直な方向に正立させた場合には、ＴＶ番組の映像などのように横長の画像の場合に、画面表示を効果的に行うことができる。
【００４２】
右手で端末を持つ場合を想定すると、表示画面に向かって右向きに画面表示を正立させる場合が考えられる。この場合、第１のスピーカＡ１及び第３のスピーカＡ３を用いてステレオ音声の出力が行われる。すなわち、画面表示を正立させた状態で向かって左側となる第１のスピーカＡ１を左チャンネルに割り振り、右側となる第３のスピーカＡ３を右チャンネルに割り振る制御が行われる。これにより、ユーザは、ＴＶ放送受信時などにおいて、映像とともにステレオサウンドを適切に視聴することができる。展開状態では、ユーザのキー操作によって画面表示の向きを自在に切り替えることができ、画面表示の向きに応じて駆動させるスピーカＡ１〜Ａ３が自動的に切り替えられる。
【００４３】
ここでは、ステレオ音声出力時に画面表示が縦方向となる場合、すなわち、画面表示が表示パネル５の縦方向に正立する場合、第１のスピーカＡ１に対する駆動をオフとする制御が行われる。画面表示が横方向となる場合には、第２のスピーカＡ２又は第３のスピーカＡ３のいずれか一方に対する駆動をオフとする制御が行われる。これにより、消費電力を低減することができる。
【００４４】
また、ステレオ音声出力時において表示パネル５に対する画面表示が右向きとなる場合、すなわち、画面表示が表示画面に向かって右向きに正立する場合に、第３のスピーカＡ３を右チャンネルに割り振ることにより、画面表示が縦方向となる場合とで右チャンネルに割り振るスピーカを共通化することができる。これにより、スピーカ割り振りの制御を簡素化することができる。
【００４５】
図７（ａ）及び（ｂ）は、図１の携帯電話機における動作状態の一例を示した図であり、図７（ａ）には、第２の端末状態において画面表示が縦方向である場合のステレオ音声出力の様子が示され、図６（ｂ）には、画面表示が横方向である場合のステレオ音声出力の様子が示されている。
【００４６】
第２の端末状態、すなわち、表示パネル５を外側に向けて折り畳んだ状態（ビューワスタイル状態）において、画面表示を縦方向に正立させて表示させれば、画面表示の向きが操作パネル６の向きと同一となるので、展開状態からビューワスタイル状態に遷移させた場合であっても、持ち替えることなく画面の閲覧を継続することができる。この場合、第２のスピーカＡ２及び第３のスピーカＡ３を用いてステレオ音声の出力が行われる。すなわち、画面表示を正立させた状態で向かって左側となる第３のスピーカＡ３を左チャンネルに割り当て、右側となる第２のスピーカＡ２を右チャンネルに割り当てる制御が行われる。これにより、ユーザは、ＴＶ放送受信時などにおいて、映像とともにステレオサウンドを楽しむことができる。
【００４７】
一方、ビューワスタイル状態において、画面表示を横方向、すなわち、表示パネル５における表示画面の長手方向に垂直な方向に正立させて表示させれば、ＴＶ番組の映像などのように横長の画像の場合に、画面表示を効果的に行うことができる。
【００４８】
ここでも、ユーザが右手で端末を持つ場合を想定すると、ビューワスタイル状態において、画面表示を表示画面に向かって右向きに正立させる場合が考えられる。この場合には、第１のスピーカＡ１及び第３のスピーカＡ３を用いてステレオ音声の出力が行われる。すなわち、画面表示を正立させた状態で左側となる第３のスピーカＡ３を左チャンネルに割り当て、右側となる第１のスピーカＡ１を右チャンネルに割り当てる制御が行われる。これにより、ユーザは、ＴＶ放送受信時などにおいて、映像とともにステレオサウンドを適切に視聴することができる。
【００４９】
また、ビューワスタイル状態において、ステレオ音声出力時に画面表示が縦方向となる場合、第１のスピーカＡ１に対する駆動をオフとする制御が行われる。画面表示が横方向となる場合には、第２のスピーカＡ２又は第３のスピーカＡ３のいずれか一方に対する駆動をオフとする制御が行われる。これにより、消費電力を低減することができる。
【００５０】
また、ステレオ音声出力時において画面表示の向きが表示画面に向かって右向きとなる場合に、第３のスピーカＡ３を左チャンネルに割り振ることにより、画面表示が縦方向となる場合とで左チャンネルに割り振るスピーカを共通化することができる。これにより、スピーカ割り振りの制御を簡素化することができる。
【００５１】
図８は、図１の携帯電話機における動作状態の他の例を示した図であり、展開状態において画面表示が横方向である場合のステレオ音声出力の様子が示されている。ユーザが左手で端末を持つ場合を想定すると、展開状態において、画面表示が表示画面に向かって左向きに正立させる場合が考えられる。この場合には、第１のスピーカＡ１及び第２のスピーカＡ２を用いてステレオ音声の出力が行われる。すなわち、画面表示を正立させた状態において左側となる第２のスピーカＡ２を左チャンネルに割り振り、右側となる第１のスピーカＡ１を右チャンネルに割り振る制御が行われる。これにより、ユーザは、ＴＶ放送受信時などにおいて、映像とともにステレオサウンドを適切に視聴することができる。
【００５２】
図９〜図１１のステップＳ１０１〜Ｓ１２４は、図１の携帯電話機におけるステレオ音声の出力動作の一例を示したフローチャートである。まず、状態検出制御部２８は、端末を収納状態から展開させるか、展開状態において画面表示の向きを切り替える操作入力を行った場合に、端末状態の検出を開始する（ステップＳ１０１，Ｓ１０２）。
【００５３】
このとき、第１のホール素子１０がオン状態であれば、端末は収納状態であると判別される。また、第１のホール素子１０がオフ状態であって、第２のホール素子１１がオン状態であれば、端末はビューワスタイル状態であると判別される。また、第１のホール素子１０及び第２のホール素子１１がともにオフ状態であれば、端末は展開状態であると判別される。
【００５４】
端末が収納状態である場合、表示制御部２６により液晶ディスプレイの駆動をオフする制御が行われるとともに、スピーカ駆動制御部２４により各スピーカＡ１〜Ａ３の駆動をオフする制御が行われる（ステップＳ１０３〜Ｓ１０５）。
【００５５】
一方、端末がビューワスタイル状態である場合、画面表示が横方向であるか否かに応じた制御が行われる（ステップＳ１０６，Ｓ１０７）。画面表示が横方向であれば、表示制御部２６により液晶ディスプレイの駆動をオンするとともに、画面表示の向きを９０°回転させる制御が行われる（ステップＳ１０８）。また、このとき、スピーカ駆動制御部２４により第１のスピーカＡ１を右チャンネルに割り振り、第２のスピーカＡ２をオフし、第３のスピーカＡ３を左チャンネルに割り振る制御が行われる（ステップＳ１０９〜Ｓ１１１）。
【００５６】
画面表示が横方向でなければ、表示制御部２６により液晶ディスプレイにおける画面表示の向きを１８０°回転させる制御が行われる（ステップＳ１１２）。また、このとき、スピーカ駆動制御部２４により第１のスピーカＡ１をオフし、第２のスピーカＡ２を右チャンネルに割り振り、第３のスピーカＡ３を左チャンネルに割り振る制御が行われる（ステップＳ１１３〜Ｓ１１５）。
【００５７】
端末が展開状態である場合には、画面表示が横方向であるか否かに応じた制御が行われる（ステップＳ１０６，Ｓ１１６）。画面表示が横方向であれば、表示制御部２６により液晶ディスプレイの駆動をオンするとともに、画面表示の向きを２７０°回転させる制御が行われる（ステップＳ１１７）。また、このとき、スピーカ駆動制御部２４により第１のスピーカＡ１を左チャンネルに割り振り、第２のスピーカＡ２をオフし、第３のスピーカＡ３を右チャンネルに割り振る制御が行われる（ステップＳ１１８〜Ｓ１２０）。
【００５８】
画面表示が横方向でなければ、表示制御部２６により液晶ディスプレイにおける画面表示を正立状態（非回転状態）とする制御が行われる（ステップＳ１２１）。また、このとき、スピーカ駆動制御部２４により第１のスピーカＡ１をオフし、第２のスピーカＡ２を左チャンネルに割り振り、第３のスピーカＡ３を右チャンネルに割り振る制御が行われる（ステップＳ１２２〜Ｓ１２４）。
【００５９】
本実施の形態によれば、端末が収納状態、展開状態及びビューワスタイル状態のいずれの端末状態にあるのかの検出結果に基づいて各スピーカＡ１〜Ａ３の駆動が行われるので、端末状態ごとに適切なステレオ音声出力を自動的に行うことができる。特に、展開状態からビューワスタイル状態に遷移させても、各スピーカＡ１〜Ａ３に対する左右のチャンネルの切り替えを正しく行うことができるので、端末を持ち替える動作が不要となり利便性を向上させることができる。
【００６０】
なお、本実施の形態では、展開状態において画面表示の向きが右向きとなるのに伴って、第３のスピーカＡ３が右チャンネルに割り振られる場合の例について説明したが、本発明はこれに限られるものではなく、第２のスピーカＡ２を右チャンネルに割る振るようなものであっても良い。
【００６１】
図１２は、図１の携帯電話機における動作状態の他の例を示した図であり、画面表示の向きが右向きである場合のステレオ音声出力の様子が示されている。展開状態において画面表示が表示画面に向かって右向きに正立させて表示される場合に、第１のスピーカＡ１を左チャンネルに割り振り、第２のスピーカＡ２を右チャンネルに割り振る制御が行われる。この様な構成によっても、ユーザは、ＴＶ放送などの映像再生時において、映像とともにステレオサウンドを適切に視聴することができる。
【００６２】
また、本実施の形態では、ユーザの操作入力により画面表示の向きが切り替えられる場合の例について説明したが、本発明はこれに限られるものではない。例えば、制御プログラムにより切り替えられる画面表示の向きに基づいてスピーカＡ１〜Ａ３の駆動を行うようなものであっても良い。すなわち、表示パネル５における画面表示の向きを切り替えて画像生成を行う制御プログラムを実行するプログラム実行手段を備え、スピーカ駆動制御部２４がこの制御プログラムにより切り替えられる画像の向きに応じて左右のチャンネルの割り振りを行う。
【００６３】
例えば、ウエブサイトからダウンロードしたアプリケーションプログラム（コンテンツ）により画面表示の向きが切り替えられた場合であっても、左右のチャンネルの切り替えが自動的に行われるので、映像に合わせたステレオ音声出力を行うことができる。
【００６４】
また、本実施の形態では、筐体３に対し表示パネル５を操作パネル６側に向けて筐体２を折り畳むことができる携帯端末の例について説明したが、本発明はこれに限られるものではない。例えば、操作パネル６に垂直な回転軸のまわりに筐体２を回転させることで、展開状態及びビューワスタイル状態を互いに遷移可能にするような携帯端末にも適用することができる。
【００６５】
実施の形態２．
図１３は、本発明の実施の形態２による携帯端末の概略構成の一例を示した斜視図であり、第２の端末状態において着信応答が可能である携帯電話機３０が示されている。本実施の形態による携帯電話機３０は、図１の携帯電話機１（実施の形態１）と比較すれば、第２の端末状態において着信があった際に、当該端末状態を保持したままでオフフック処理を実行させるためのサイドキー３１を備えている点で異なる。
【００６６】
この携帯電話機３０では、各スピーカＡ１〜Ａ３が受話用のスピーカに兼用される。すなわち、スピーカ駆動制御部２４は、通話時における各スピーカＡ１〜Ａ３の駆動制御を行っている。第１の端末状態、すなわち、展開状態では、マイク１２から最も遠い位置となる第１のスピーカＡ１を駆動し、他の２つのスピーカＡ２及びＡ３に対する駆動をオフする制御が行われる。通話時における音声の出力レベルは、ステレオ音声出力時よりも低く定められる。
【００６７】
また、第２の端末状態、すなわち、ビューワスタイル状態では、マイク１２から最も遠い位置となる第２のスピーカＡ２又は第３のスピーカＡ３のいずれか一方を駆動し、他の２つのスピーカに対する駆動をオフする制御が行われる。ここでは、画面表示を正立させた状態で向かって左側となる第３のスピーカＡ３が駆動されるものとする。通話時における音声の出力レベルは、ステレオ音声出力時よりも低く定められる。
【００６８】
通話時に用いるスピーカをマイク１２から遠い位置にあるものだけとすることにより、操作性を向上させることができるとともに、ハウリングを抑制させることができる。
【００６９】
図１４及び図１５のステップＳ２０１〜Ｓ２１６は、図１３の携帯電話機における着信時のスピーカ駆動の動作の一例を示したフローチャートである。まず、状態検出制御部２８は、着信があった場合、操作パネル６上のキーやサイドキー３１の操作入力に基づいてオフフック処理が実行されると、端末状態の検出を開始する（ステップＳ２０１，Ｓ２０２）。
【００７０】
このとき、第１のホール素子１０がオン状態であれば、端末は収納状態であると判別される。また、第１のホール素子１０がオフ状態であって、第２のホール素子１１がオン状態であれば、端末はビューワスタイル状態であると判別される。また、第１のホール素子１０及び第２のホール素子１１がともにオフ状態であれば、端末は展開状態であると判別される。
【００７１】
端末が収納状態である場合、オンフック処理が実行され、スピーカ駆動制御部２４により各スピーカＡ１〜Ａ３の駆動をオフする制御が行われる（ステップＳ２０３〜Ｓ２０５）。
【００７２】
一方、端末がビューワスタイル状態である場合、表示制御部２６により液晶ディスプレイの駆動をオンするとともに、画面表示の向きを１８０°回転させる制御が行われる（ステップＳ２０６，Ｓ２０７）。また、このとき、スピーカ駆動制御部２４により第１のスピーカＡ１及び第２のスピーカＡ２をオフし、第３のスピーカＡ３を低い出力レベルで駆動する制御が行われ、通話処理が開始される（ステップＳ２０８〜Ｓ２１１）。
【００７３】
また、端末が展開状態である場合には、表示制御部２６により液晶ディスプレイの駆動をオンするとともに、画面表示を正立状態（非回転状態）とする制御が行われる（ステップＳ２１２）。また、このとき、スピーカ駆動制御部２４により第１のスピーカＡ１を低い出力レベルで駆動し、第２のスピーカＡ２及び第３のスピーカＡ３をオフする制御が行われ、通話処理が開始される（ステップＳ２１３〜Ｓ２１６）。
【００７４】
本実施の形態によれば、各スピーカＡ１〜Ａ３が受話用に兼用されるので、連結部４と反対側の端部に配置されるスピーカＡ１を展開状態において受話用に用いることができるとともに、連結部４側の端部に配置されるスピーカＡ２又はＡ３をビューワスタイル状態において受話用に用いることができる。つまり、展開状態及びビューワスタイル状態のいずれの端末状態であっても、マイク１２から遠い位置となるスピーカを用いて受話を行うことができるので、着信時における操作性を向上させることができる。特に、ビューワスタイル状態において着信があった場合であっても、当該端末状態を保持したまま通話を行うことができる。また、スピーカ数の増加を伴うことなく、端末状態に応じてステレオ音声の出力や通話を行うことができる。
【図面の簡単な説明】
【００７５】
【図１】本発明の実施の形態１による携帯端末の概略構成の一例を示した平面図である。
【図２】図１の携帯電話機における状態遷移の一例を示した外観斜視図である。
【図３】図１の携帯電話機における状態遷移の一例を示した外観斜視図である。
【図４】図１の携帯電話機における状態遷移の一例を示した外観斜視図である。
【図５】図１の携帯電話機内の一構成例を示したブロック図である。
【図６】図１の携帯電話機における動作状態の一例を示した図である。
【図７】図１の携帯電話機における動作状態の一例を示した図である。
【図８】図１の携帯電話機における動作状態の他の例を示した図である。
【図９】図１の携帯電話機におけるステレオ音声の出力動作の一例を示したフローチャートである。
【図１０】図１の携帯電話機におけるステレオ音声の出力動作の一例を示したフローチャートである。
【図１１】図１の携帯電話機におけるステレオ音声の出力動作の一例を示したフローチャートである。
【図１２】図１の携帯電話機における動作状態の他の例を示した図である。
【図１３】本発明の実施の形態２による携帯端末の概略構成の一例を示した斜視図である。
【図１４】図１３の携帯電話機における着信時のスピーカ駆動の動作の一例を示したフローチャートである。
【図１５】図１３の携帯電話機における着信時のスピーカ駆動の動作の一例を示したフローチャートである。
【符号の説明】
【００７６】
１，３０  携帯電話機
２  第１の筐体
３  第２の筐体
４  連結部
５  表示パネル
６  操作パネル
７，８  回転軸
９  マグネット
１０，１１  ホール素子
１２  マイク
１３  アンテナ
２１  無線部
２２  通信制御部
２３  主制御部
２４  スピーカ駆動制御部
２５  送話制御部
２６  表示制御部
２７  操作入力部
２８  状態検出制御部
３１  サイドキー
Ａ１〜Ａ３  スピーカ
【図１】
2005252539.tif 000003
【図２】
2005252539.tif 000004
【図３】
2005252539.tif 000005
【図４】
2005252539.tif 000006
【図５】
2005252539.tif 000007
【図６】
2005252539.tif 000008
【図７】
2005252539.tif 000009
【図８】
2005252539.tif 000010
【図９】
2005252539.tif 000011
【図１０】
2005252539.tif 000012
【図１１】
2005252539.tif 000013
【図１２】
2005252539.tif 000014
【図１３】
2005252539.tif 000015
【図１４】
2005252539.tif 000016
【図１５】
2005252539.tif 000017